(57)【要約】      （修正有）【課題】携帯式電子デバイスを収納し、起立して支持する保護袋を提供する。【解決手段】携帯式電子デバイス２００を収納する第１蓋板１１０、第１蓋板１１０及び第２蓋板１２０に接続する支持部材から構成し、第１蓋板１１０及び第２蓋板１２０は、相対して折り畳んで携帯式電子デバイス２００を収納し、支持部材は、第１蓋板１１０の第１内表面上に配置された第１折れ板１３２及び第２折れ板１３４からなり、第１折れ板１３２及び第２折れ板１３４は接続されて、相対して折り畳んだ状態で第１蓋板１１０上に収納され、折り畳んだ状態から開放されると、相対展開して第１折れ板１３２を第１内表面上に斜めに起立させて、携帯式電子デバイス２００を支持する。第１折れ板１３２と第２折れ板１３４の間に弾性部材を介挿することにより、自動的に展開することが出来る。【選択図】図５
0003182628.tif 000002
【実用新案登録請求の範囲】
【請求項１】
携帯式電子デバイスを収納する保護袋であって、
該保護袋は、それぞれの一端で接続される第１蓋板と第２蓋板とを相対して折り畳んでその間に携帯式電子デバイスを収納する空間を形成し、
該第１蓋板の携帯式電子デバイスに相対する第１内表面に第１折れ板及び第２折れ板から構成する支持部材を配置し、
該支持部材は、該第１内表面上で相互に折り畳まれると共に相対展開して、該第１折れ板を該第２折れ板によって該第１内表面上に支持させて起立させることにより、該第１折れ板に上記携帯式電子デバイスを支持させるようにした、
保護袋。
【請求項２】
前記支持部材は、該第１折れ板及び該第２折れ板を接続する位置限定部材を更に設け、該位置限定部材は、該第２折れ板が第１折れ板に相対して展開する最大角度を１８０度未満に制限し、該第１折れ板を前記第１蓋板の第１内表面上に斜めに起立させる請求項１に記載の保護袋。
【請求項３】
前記位置限定部材の１端が、前記第１折れ板の前記第１蓋板の第１内表面に相対する側である第１底面又は該第１内表面に接続する箇所である第１側縁の何れかに接続し、
他端が、前記第２折れ板の前記第１蓋板の第１内表面に相対する側である第２底面又は
該第１折れ板との接続箇所から離れた端部の何れかに接続される、
請求項２に記載の保護袋。
【請求項４】
前記位置限定部材の長さは、該位置限定部材の前記第１端から該第１折れ板と該第２折れ板との間の接続箇所までの第１距離と、該位置限定部材の前記他端から該接続箇所までの第２距離との総和より小さい請求項３に記載の保護袋。
【請求項５】
前記第１折れ板は、前記第１蓋板の該第１内表面に相対する側である第１底面と、該第１底面の反対側の第１上面と、該第１内表面に接する第１側縁と、該第１側縁の反対側である第３側縁と、を有し、
該第２折れ板は、前記第１蓋板の該第１内表面に相対する側である第２底面と、該第１底面の反対側の第２上面と、該第１内表面に接する第２側縁と、該第２側縁の反対側の第４側縁と、を有し、
該位置限定部材の第１端が、該第１側縁、該第１上面または該第３側縁の何れか接続するか、該第１端が該第１内表面に接続し、該第２端が該第１底面、該第３側縁、第２底面または該第４側縁の何れかに接続する請求項２に記載の保護袋。
【請求項６】
前記位置限定部材は、ロープまたはベルトの何れかである請求項２に記載の保護袋。
【請求項７】
前記支持部材は、該第１折れ板及び該第２折れ板を接続する弾性部材を更に有し、
該第１折れ板及び該第２折れ板が相対して折り畳まれる時、該弾性部材は、該第１折れ板及び該第２折れ板を相対展開させる弾性回復力を発生する請求項１に記載の保護袋。
【請求項８】
前記第１折れ板は、前記第１蓋板の第１内表面の反対側の第１上面及び該第１内表面に接する第１側縁を有し、
前記第２折れ板は、該第１内表面の反対側の第２上面及び該第１折れ板の接続方向反対側の第２側縁を有し、
該弾性部材は、前記支持部材の該第１内表面の反対側に配置され、該弾性部材の第１端は、該第１上面または該第１側縁の何れかに接続し、該弾性部材の他端は、該第２上面または該第２側縁の何れかに接続される請求項７に記載の保護袋。
【請求項９】
前記第１折れ板は、前記第１蓋板の第１内表面に相対する第１底面及び該第１内表面に接する第１側縁を有し、
前記第２折れ板は、該第１内表面に相対する第２底面及び該第１折れ板の反対側の第２側縁を有し、
該弾性部材は、該支持部材の該第１内表面に相対する側に配置され、該弾性部材の第１端は、該第１底面または該第１側縁の何れかに接続し、該弾性部材の他端は、該第２底面または該第２側縁の何れかに接続される請求項７に記載の保護袋。
【請求項１０】
前記弾性部材は、弾性帯、ゴムバンド、プラスチック弾性片、金属弾性片またはねじりバネの何れかである請求項７に記載の保護袋。
【請求項１１】
前記第１折れ板は、前記第１蓋板の第１内表面及び前記第２折れ板の間に折り畳み可能に接続する請求項１に記載の保護袋。
【請求項１２】
前記第２折れ板は、該第１折れ板及び該第１内表面の間に向かって折り畳まれ、該第１折れ板に伴って該第１内表面に向かって折り畳まれ、該第１折れ板と共に該第１蓋板及び該第２蓋板の間に収納される請求項１１に記載の保護袋。
【請求項１３】
前記第２折れ板は、前記第１折れ板に伴い、該第１内表面に相対して展開され、該第１折れ板に相対して展開されて該第１折れ板に伴い該第１内表面上に斜めに起立する請求項１１に記載の保護袋。
【請求項１４】
前記第１蓋板は、その第１内表面上に配置される位置限定部材を更に有し、前記第２折れ板の前記第１折れ板の反対端は、該第２折れ板が該第１折れ板に相対して展開された後に該位置限定部材により係止する請求項１３に記載の保護袋。
【請求項１５】
前記支持部材は、最大展開角度が１８０度未満の位置限定ヒンジを更に有し、前記第２折れ板は、該位置限定ヒンジを介して該第１折れ板に折り畳まれて接続する請求項１１に記載の保護袋。
【請求項１６】
前記第１折れ板及び該第２折れ板は、それぞれ前記第１蓋板の該第１内表面に接続し、該第１内表面に向けて折り畳まれて該第１蓋板及び該第２蓋板の間に収納され、それぞれ該第１内表面から離れるように展開され、該第１折れ板を該第２折れ板によって支持して該第１内表面上に斜めに起立させる請求項１に記載の保護袋。
【請求項１７】
前記第１折れ板は、前記第１蓋板の第１内表面に相対する第１底面、該第１内表面に接する第１側縁及び該第１側縁の反対側の第３側縁を有し、
該第２折れ板は、該第１内表面に相対する第２底面、該第１内表面に接する第２側縁及び該第２側縁の反対側の第４側縁を有し、該第１折れ板及び該第２折れ板がそれぞれ該第１内表面から離れるように展開される時、該第４側縁は、該第１底面または該第３側縁の何れかに係止し、該第１折れ板を該第２折れ板により支持して該第１内表面上に斜めに起立させる請求項１６に記載の保護袋。
【請求項１８】
前記第４側縁は、締め付け、磁性吸着、タイトフィット、嵌合又は摩擦により、前記第１底面または前記第３側縁の何れかに係止する請求項１７に記載の保護袋。
【請求項１９】
前記支持部材は、更に該第１内表面及び該第１折れ板の間と、前記第１蓋板の第１内表面または前記第２折れ板の間との何れかを接続する少なくとも１つの弾性部材を更に有し、該第１折れ板及び該第２折れ板が相対して折り畳まれる時、該弾性部材は、該第１折れ板及び該第２折れ板を相対展開させる弾性回復力を発生する請求項１６に記載の保護袋。
【請求項２０】
前記弾性部材は、弾性帯、ゴムバンド、プラスチック弾性片、金属弾性片、ねじりバネ又は螺旋バネの何れかである請求項１９に記載の保護袋。
【請求項２１】
前記第１蓋板は、更に、その第１内表面上に形成され、該支持部材を収納する凹陥を有する請求項１に記載の保護袋。
【請求項２２】
前記一対の磁石は、前記第１蓋板、前記第１折れ板及び第２折れ板の中の２つに対応して配置され、それが提供する磁性反発力が相対して折り畳まれた該第１折れ板及び該第２折れ板を相対展開させる請求項１に記載の保護袋。
【考案の詳細な説明】
【技術分野】
【０００１】
本出願は、２０１２年３月９日に出願した出願番号１０１２０４３２７、及び２０１２年１２月２１日に出願した出願番号１０１２２４７８９の台湾専利出願の優先権を主張し、その全内容を本出願中に併合する。
【０００２】
本考案は、保護袋（protective bag）に関し、特に、携帯式電子デバイス（portable electronic device）の保護袋に関する。
【背景技術】
【０００３】
科学技術の発展に伴い、様々な携帯式電子デバイス、例えば、ＭＰ３及びＭＰ４等のマルチメディアプレイヤー（multimedia player）、携帯電話（cell phone）、ＰＤＡ（personal digital assistant）、ハンドヘルドゲームコンソール（hand-held game console）、電子書籍（electronic book, E-book）、タブレットＰＣ（tablet personal computer, tablet PC）、ネットブック（net‐book）及びノートブックコンピュータ（notebook）等は、既に多くの現代人の生活中に不可欠な科学技術製品となっている。
従来のデスクトップパソコン（desktop PC）に比較し、携帯式電子デバイスの主な利点は、携帯に便利であることにある。従って、近年より、随時随処で使用者が携帯式電子デバイスを使用することを見ることができる。
【０００４】
注意すべきこととして、前記携帯式電子デバイスにおいて、通常、体積が比較的大きなネットブック及びノートブックパソコンのみがキーボード及びスクリーンをそれぞれ相対して折り畳む２つの機体上にそれぞれ設置する。このように、スクリーンを設置した機体は、キーボードを設置した機体に支持されて起立することができ、スクリーンの傾斜角度を調整することができ、使用者が携帯式電子デバイスを卓面等の載置面上に安置し、動作を観賞したり、操作したりすることに便利にすることができる。相反して、その他の携帯式電子デバイスは、通常一体に成型して構成されるので、底台（cradle）又はその他の支持部材を使用する必要があり、そうして初めて載置面上に起立させることができるようになる。
【先行技術文献】
【特許文献】
【０００５】
【特許文献１】特開２００３−３０９６３７号公報
【考案の概要】
【考案が解決しようとする課題】
【０００６】
しかしながら、使用者は、通常、底台を随時携帯することはなく、適用するその他の支持部材も随時得られるものではない。従って、携帯式電子デバイスと併せて携帯することに便利であり、携帯式電子デバイスを安定して載置面上に起立させることができる支持部材を提供する必要がある。
【課題を解決するための手段】
【０００７】
上記問題を解決する為、本考案は、保護袋を提供し、携帯式電子デバイスを、保護袋内の支持部材（support element）の支持を介して第１内表面上に起立）させる。
【０００８】
本考案が提供する携帯式電子デバイスに適用する保護袋は、１つの第１蓋板（cover）と、１つの第２蓋板と、１つの支持部材と、を含む。第１蓋板は、１つの第１内表面を有し、第２蓋板は、第１蓋板に接続し、１つの第２内表面を有し、そのうち、第１蓋板及び第２蓋板が相対して折り畳むことに適し、第１内表面及び第２内表面に携帯式電子デバイスの相対する二側を被覆させる。支持部材は、第１内表面上に配置され、１つの第１折れ板及び１つの第２折れ板を有し、そのうち、第１折れ板及び第２折れ板は、相対して折り畳むことに適し、第１蓋板及び第２蓋板の間に収納され、第１折れ板及び第２折れ板は、相対して展開することに適し、第１折れ板を第２折れ板の支持を介して第１内表面上に斜めに立たせる。
【０００９】
本考案の１つの実施例において、上記の支持部材は、更に第１折れ板及び第２折れ板を接続する１つの位置限定部材（position limiting element）を有することができ、位置限定部材は、第２折れ板を第１折れ板に相対して展開させた後の最大角度を１８０度未満に制限し、第１折れ板を第１内表面上に斜めに立たせる。
そのうち、第１折れ板に第１内表面に向く１つの第１底面及び第１内表面に隣接する１つの第１側縁を有し、第２折れ板は、第１内表面に向く１つの第２底面及び第１折れ板から離れる１つの第２側縁を有し、位置限定部材の第１端は、第１内表面、第１底面及び第１側縁の何れか１つに接続し、位置限定部材の他端は、第２底面及び第２側縁の何れか１つに接続する。
また、位置限定部材の長さは、位置限定部材の第１端から第１折れ板及び第２折れ板の間の１つの接続箇所までの１つの第１距離と、第２端から接続箇所までの１つの第２距離との総和より小さいものである。又は、第１折れ板は、第１内表面に向く１つの第１底面と、第１底面に相対する１つの第１上面と、第１内表面に隣接する１つの第１側縁と、第１側縁に相対する１つの第３側縁を有し、第２折れ板は、第１内表面に向く１つの第２底面と、第１底面に相対する１つの第２上面と、該第１内表面に隣接する１つの第２側縁及び第２側縁に相対する１つの第４側縁と、を有し、位置限定部材の１つの第１端は、第１側縁、第１上面及び第３側縁の何れか１つに接続することができ、位置限定部材の１つの第２端は、第２側縁、第２上面及び第４側縁の何れか１つに接続する。
又は、第１端は、第１内表面に接続することもでき、第２端は、第１底面、第３側縁、第２底面及び第４側縁の何れか１つに接続することができる。また、上記の位置限定部材は、ロープ及びベルトの少なくとも１つである。
【００１０】
本考案の１実施例において、前記の支持部材は、更に、第１折れ板及び第２折れ板を接続する１つの弾性部材を有し、第１折れ板及び第２折れ板が相対して折り畳まれる時、弾性部材は、第１折れ板及び第２折れ板を相対して展開させることに用いる１つの弾性回復力を生じる。第１折れ板は、第１内表面に向く１つの第１底面と、第１内表面から離れる１つの第１上面及び第１内表面に隣接する１つの第１側縁を有し、第２折れ板は、第１内表面に向く第２底面と、第１内表面から離れる１つの第２上面と、第１折れ板から離れる１つの第２側縁と、を有し、弾性部材は、支持部材の第１内表面から離れる一側に配置され、弾性部材の１つの第１端は、第１上面及び第１側縁のうちの１つに接続し、弾性部材の１つの第２端は、第２上面及び第２側縁の中の１つに接続し。又は、弾性部材は、支持部材の第１内表面に向く一側に配置され、弾性部材の１つの第１端は、第１底面及び第１側縁の何れか１つに接続し、弾性部材の１つの第２端は、第２底面及び第２側縁の何れか１つに接続する。
また、上記弾性部材は、弾性帯、ゴムバンド、プラスチック弾性片、金属弾性片及びねじりバネの少なくとも１つである。
【００１１】
本考案の第１実施例において、前記の第１折れ板は、第１内表面及び第２折れ板の間に折り畳み可能に接続する。第２折れ板は、第１折れ板及び第１内表面の間に向けて折り畳まれることに適し、第１折れ板に沿って第１内表面に向けて折り畳まれることに適し、第１折れ板に沿って第１蓋板及び第２蓋板の間に収納される。また、第２折れ板は、第１折れ板に沿って第１内表面に第１内表面に相対して展開され、第１折れ板に相対して展開され、第１折れ板に沿って第１内表面上に斜めに起立することに適する。また、第１蓋板は、更に第１内表面上に配置される１つの位置限定部（position limiting portion）を有することができ、第２折れ板の第１折れ板から離れる１つの側縁は、第２折れ板が第１折れ板に相対して展開された後に位置限定部に係止ることに適する。また、支持部材は、最大展開角度が１８０度未満の１つの位置限定ヒンジ（position limiting hinge）を更に有することができ、第２折れ板は、位置限定ヒンジを経由して第１折れ板に折り畳み可能に接続する。
【００１２】
本考案の１実施例において、前記第１折れ板及び第２折れ板は、それぞれ第１内表面に接続し、それぞれ第１内表面に向いて折り畳むことに適し、第１蓋板及び第２蓋板の間に収納され、それぞれ第１内表面から離れるように展開されることに適し、第１折れ板を第２折れ板の支持を介して第１内表面上に斜めに起立させる。そのうち、第１折れ板は、第１内表面に向く１つの第１底面と、第１内表面に隣接する１つの第１側縁と、第１側縁に相対する１つの第３側縁と、を有し、第２折れ板は、第１内表面に向く１つの第２底面と、第１内表面に隣接する１つの第２側縁と、第２側縁に相対する１つの第４側縁と、を有し、第１折れ板及び第２折れ板は、それぞれ第１内表面から離れるように展開される時、第４側縁は、第１底面及び第３側縁の何れか１つに係止し、第１折れ板を第２折れ板の支持を介して第１内表面上に斜めに起立させる。また、前記の第４側縁は、締め付け、磁性吸着、タイトフィット、嵌合又は摩擦の方式を介し、第１底面及び第２側縁の何れか１つに係止する。また、支持部材は、第１内表面と第１折れ板との間及び第１内表面と第２折れ板との間の少なくとも何れかに接続する１つの弾性部材を更に有し、第１折れ板及び第２折れ板が相対して折り畳まれる時、弾性部材は、第１折れ板及び第２折れ板を相対して展開させる１つの弾性回復力を発生する。また、前記弾性部材は、弾性帯、ゴムバンド、プラスチック弾性片、金属弾性片及びねじりバネ及び螺旋バネ（spiral spring）の少なくとも１つである。
【００１３】
本考案の１実施例において、前記第１蓋板は、第１内表面上に形成され、支持部材を収納する凹陥（dent）を更に有する。
【００１４】
本考案の１つの実施例において、前記保護袋は、更に１対の磁石を含み、磁石は、それぞれ第１蓋板、第１折れ板及び第２折れ板のうちの２つにそれぞれ配置され、それが提供する１つの磁性反発力（magnetic repulsion force）は、相対して折り畳まれた第１折れ板及び第２折れ板を相対して展開させる。
【考案の効果】
【００１５】
上記に基づき、第１蓋板及び第２蓋板を相対して展開し、第１折れ板及び第２折れ板を相対して展開し、第１折れ板を第２折れ板の支持を介して第１内表面上に斜めに起立した後、使用者は、携帯式デバイスを直接第１折れ板上に載置し、操作を行うことができる。従って、使用者は、本考案が提供する保護袋を利用し、携帯式電子デバイスを保護することができるだけでなく、更に、保護袋内の支持部材を随時随処に利用して携帯式電子デバイスを支持し、載置面上に安定して起立させることができる。
【図面の簡単な説明】
【００１６】
【図１】本考案の一実施例の保護袋の俯瞰図である。
【図２】図１中の保護袋の正面図である。
【図３】図１中の保護袋のＩ−Ｉ線方向に沿った断面図である。
【図４】図３中の保護袋を展開し、携帯式電子デバイスを取り除き、支持部材を展開した後の断面図である。
【図５】図４中の支持部材が携帯式電子デバイスを支持する断面図である。
【図６】本考案の一実施例の支持部材の相対展開後の断面図である。
【図７】本考案のもう1つの実施例の支持部材の相対展開後の断面図である。
【図８】図７中の支持部材の相対して折り畳んだ後の断面図である。
【図９】本考案の更に他の実施例であって、一対の磁石を配した展開図である。
【図１０】本考案の更に他の実施例であって、一対の磁石を配した別の展開図である。
【図１１】本考案の更に他の実施例であって、一対の磁石を配した別の展開図である。
【図１２】本考案の更に他の実施例であって、一対の磁石を配した別の展開図である。
【図１３】本考案の更に他の実施例であって、一対の磁石を配した別の展開図である。
【図１４】本考案の更に他の実施例であって、一対の磁石を配した別の展開図である。
【考案を実施するための形態】
【００１７】
上記利点及び特色を更に分かり易くする為、本考案の具体的実施例を図面に沿って詳細に説明する。
【００１８】
図１は、本考案の１つの実施例の保護袋の平面図であり、図２は、図１中の保護袋の正面図であり、図３は、図１中の保護袋のＩ−Ｉ線方向に沿った断面図であり、図４は、図３中の保護袋を展開し、携帯式電子デバイスを取り除き、支持部材を展開した後の断面図である。また、図５は、図４中の支持部材が携帯式電子デバイスを支持する断面図である。以下の実施例において、異なる実施例中に使用する同一部材の符号は、同一又は相似する部材を代表して用いる。
【００１９】
図１及び図２を参照する。
本考案の保護袋１００は、携帯式電子デバイス２００を収納することに用いられ、携帯式電子デバイス２００に保護袋１００を経由して１つの載置面３００上に載置させる。  この実施例において、携帯式電子デバイス２００は、例えば、ＭＰ３及びＭＰ４等のマルチメディアプレイヤー、携帯電話、ＰＤＡ、ハンドヘルドゲームコンソール及びタブレットＰＣ等の一体に成型された携帯電子デバイスを例として説明する。但し、その他の未開示の実施例において、保護袋は、ネットブック及びノートブックパソコン等に応用し、相対して折り畳み可能な２つの機体から構成される携帯式電子デバイスに応用することもできる。
【００２０】
図３を参照する。
保護袋１００は、１つの第１蓋板１１０と、第１蓋板１１０に接続する第２蓋板１２０と、１つの支持部材１３０と、を含む。この実施例において、第１蓋板１１０及び第２蓋板１２０は、例えば、一体に成型されて相互に接続し、図３に示すように相対して折り畳まれ、第１蓋板１１０の第１内表面１１２及び第２蓋板１２０の第２内表面１２２により携帯式電子デバイス２００の上下両側、表示面及び背面を被覆する。
また、支持部材１３０は、第１内表面１１２上に配置され、第１折れ板１３２及び第２折れ板１３４を有する。第１折れ板１３２及び第２折れ板１３４は、図３に示すような相対して折り畳まれ、第１蓋板１１０及び第２蓋板１２０の間に収納される。また、第１折れ板１３２は、第２折れ板１３４に支持されて第１内表面１１２上に斜めに起立し、携帯式電子デバイス２００を支持部材１３０上に載置して第１内表面１１２上に斜めに起立させる。
【００２１】
詳細には、この実施例において、図４及び図５が示す方位を基準とし、第１折れ板１３２の左側縁が例えば、縫い付け、スナップ、貼付、接着等の方式で第１内表面１１２上に折り畳み可能に接続される。また、第２折れ板１３４の左側縁は、例えば、一体に成型されて第１折れ板１３２の右側縁に折り曲げ可能に接続され、第２折れ板１３４の右側縁は、例えば、自由端である。
従って、第２折れ板１３４は、第１折れ板１３２及び第１内表面１１２の間に折り畳むことができ、第１折れ板１３２に伴って第１内表面１１２に向けて折り畳み、図３に示すように、第１折れ板１３２に沿って畳まれて第１蓋板１１０及び第２蓋板１２０の間に収納される。
また、図４に示すように、携帯式電子デバイス２００を取り除いた後、第２折れ板１３４は、第１折れ板１３２に伴って第１内表面１１２に相対して展開することができ、更に、第１折れ板１３２に相対して展開することができる。その後、第２折れ板１３４は、図５に示すように、第１折れ板１３２に伴って第１内表面１１２上に斜めに起立することができる。
【００２２】
注意すべきこととして、この実施例において、第１蓋板１１０は、更に１つの凹陥１１４を有し、該凹陥１１４は、例えば、第１内表面１１２に形成され、図３に示すように、支持部材１３０をその中に収納する。また、第２折れ板１３４は、第１折れ板１３２に相対して展開した後、第２折れ板１３４の右側縁を凹陥１１４内の右下角を係止することができ、第１折れ板１３２及び第２折れ板１３４の間の挟角を維持し、支持部材１３０に携帯式電子デバイス２００を安定して支持させる。
しかしながら、当業者は、本考案が上記実施例のみに限定されるものではないことを疑義なく理解することができる。
【００２３】
例を挙げれば、その他の未開示の実施例において、第１蓋板は、支持部材を収納する凹陥を有さなくとも良い。この時、第１内表面は、シリコーン材質で形成される接着性表面、又はウール、布等の材質で形成される粗表面とし、第２折れ板を、第１折れ板に相対して展開した後、第２折れ板の右側縁は、第１内表面の作用する摩擦力により支持されて第１折れ板及び第２折れ板の間の挟角を維持することができる。
また、第１蓋板は、第１内表面上に配置される１つの位置限定部を更に有することができる。  例えば、第１内表面に突出する突起である。従って、第２折れ板が第１折れ板に相対して展開された後、第２折れ板の右側縁は、このような位置限定部に係止することにより第１折れ板及び第２折れ板の間の挟角を維持することができる。
また、支持部材は、更に最大展開角度が１８０度未満の位置限定ヒンジを介して第２折れ板を第１折れ板に折り畳み可能に接続することにより、第２折れ板を第１折れ板に相対して展開した後の最大角度を制限することができる。
【００２４】
このほか、第１蓋板は、第１内表面上に配置される第１接合具を更に有することができ、支持部材は、第２折れ板右側縁に配置される第２接合具を更に有することができる。従って、第２折れ板は、第１折れ板に相対して展開した後、第２折れ板の右側縁は、第１接合具及び第２接合具の嵌合を介して、第１折れ板及び第２折れ板の間の挟角を維持することができる。そのうち、第１接合具及び第２接合具は、ジッパー組、接着テープ、スナップボタン、極性が相反する永久磁石、永久磁石及び磁性材料（ferromagnetic material）の組み合わせ、フック及びロック孔（locking aperture）の組み合わせ又はピン及び挿入孔の組み合わせから構成されることができる。
【００２５】
当業者に本考案の構造上実施可能なその他の変化をより明確に理解させる為、以下に更に複数の実施例を挙げて支持部材１３０の構造及び第２折れ板１３４が第１折れ板１３２に相対して展開された後の最大角度を維持する方式を詳細に説明する。
【００２６】
図６は、本考案の１つの実施例の支持部材の展開後の断面図である。図６に示すように、本実施例において、支持部材１３０は、更に、第１折れ板１３２及び第２折れ板１３４の位置限定部材１３６を有し、それは、例えば、ロープ、ベルト及び相対して軸回転可能な２つの接続ロッドの少なくとも１つから構成されるものである。本実施例において、図６で示す向きを基準として、位置限定部材１３６の左端は、例えば、第１折れ板１３２の底面に接続し、位置限定部材１３６の右端は、第２折れ板１３４の右側縁に接続し、位置限定部材１３６の長さＬは、第１距離Ｄ１及び第２距離Ｄ２の総和より小さい。従って、第２折れ板１３４が第１折れ板１３２に相対して展開した後の最大角度は、位置限定部材１３６により１８０度未満に制限される。
【００２７】
同様に、本考案は、上記実施例に限定するものではない。その他の未開示の実施例において、位置限定部材の左端が第１折れ板の底面に接続し、位置限定部材の右端が第２折れ板の底面に接続しても良い。
また、位置限定部材の左端は、第１折れ板の左側縁に接続し、位置限定部材の右端は、第２折れ板の底面又は右側縁に接続しても良い。位置限定部材の長さが位置限定部材の第１端から第１折れ板及び第２折れ板の間の接続箇所までの第１距離及び位置限定部材の第２端から接続箇所までの第２距離の総和より小さければ、位置限定部材は、第２折れ板が第１折れ板に相対して展開した後の最大角度を効率的に制限することができる。
【００２８】
また、支持部材１３０は、第１折れ板１３２及び第２折れ板１３４を接続する弾性部材１３８を有しても良く、例えば、弾性帯、ゴムバンド、プラスチック弾性片、金属弾性片及びねじりバネの少なくとも１つから構成されるものである。本実施例において、図６が示す方位を基準とし、弾性部材１３８は、例えば、第１折れ板及び第２折れ板１３４の上面上に配置され、弾性部材１３８の左端は、例えば、第１折れ板１３２の左端縁に接続し、弾性部材１３８の右端は、例えば、第２折れ板１３４の右側縁に接続する。  従って、第２折れ板１３４が第１折れ板１３２に相対して折り畳まれると共に、その状態から開放されると、弾性部材１３８は第１折れ板１３２及び第２折れ板１３４を相対展開させる弾性回復作用を発揮する。即ち、第２折れ板１３４及び第１折れ板１３２を自動的に図６に示す状態に展開する。
【００２９】
同様に、本考案は、上記実施例に限定するものではない。その他の未開示の実施例において、弾性部材の左端が第１折れ板の左側に接続し、弾性部材の右端が第２折れ板の上面に接続しても良い。
また、弾性部材の左端は、第１折れ板の上面に接続し、弾性部材の右端は、第２折れ板の上面又は右側縁に接続しても良い。
また、弾性部材がプラスチック弾性片、金属弾性片、ねじりバネ及びその他の圧縮された弾性部材の少なくとも１つから構成される時、弾性部材は、第１折れ板及び第２折れ板の底面上に配置されることもできる。この時、弾性部材の左端は、第１折れ板の左側縁及び底面の１方に接続し、弾性部材の右端は、第２折れ板の右側縁及び底面の何れか１方に接続しても良い。注意すべきこととして、この場合において、弾性部材の自然状態下（即ち、実質上圧縮され、且つ引き伸ばされていない状態下）の弾性回復力が第２折れ板及び第１折れ板の間の挟角を特定角度に維持するに十分であれば、支持部材も図６に示す位置限定部材を不要にすることもできる。
【００３０】
図７は、本考案のもう１つの実施例の支持部材が相対展開後の断面図であり、図８は、図７中の支持部材の相対折り畳み後の断面図である。図７及び図８に示すように、本実施例において、第１折れ板１３２及び第２折れ板１３４は、それぞれ第１内表面１１２に接続する。また、第１折れ板１３２及び第２折れ板１３４は、図８に示すように、第１内表面１１２に向かって折り畳まれ、図３に示すように、第１蓋板１１０及び第２蓋板１２０の間に収納されることができ、図７に示すように、第１内表面１１２から離れるように展開され、第１折れ板１３２を、図５に示すように、第２折れ板１３４の支持を介して第１内表面１１２上に斜めに起立させることができる。
【００３１】
更に詳細に述べれば、本実施例において、図７及び図８が示す方位を基準として、第１折れ板１３２及び第２折れ板１３４は、図７に示すように、第１内表面１１２から離れるように展開された後、第２折れ板１３４の左側縁が、締め付け、磁性吸着、タイトフィット、嵌合又は摩擦の方式により第１折れ板１３２の底面及び右側縁の何れか１つに係止され、第１折れ板１３２を第２折れ板１３４によって支持させて第１内表面１１２に斜めに起立させる。
【００３２】
また、その他の未開示の実施例において、支持部材は、第１内表面及び第１折れ板の間に接続する１つの弾性部材を更に有するものとして、例えば、弾性帯、ゴムバンド、プラスチック弾性片、金属弾性片、ねじりバネ又は螺旋バネの少なくとも１つから構成されるものである。そのうち、引き伸ばされて弾性回復力を提供することができる弾性帯及びゴムバンドのみが第１折れ板の上面及び第１内表面を接続することに用いることができ、螺旋バネは、第１折れ板の底面及び第１内表面を接続することに用いることに適する。比較において、引き伸ばされ、圧縮されて弾性回復力を提供することができるプラスチック弾性片、金属弾性片及びねじりバネ及び螺旋バネは、第１折れ板の上面及び第１内表面を接続することに用いることができるだけでなく、第１折れ板の底面及び第１内表面を接続することに用いることもできる。
【００３３】
このように、第１折れ板が、図８に示すように、第１内表面に向けて折り畳まれる時、弾性部材は、第１折れ板を第１内表面に対応して展開させる１つの弾性回復力を発生する。即ち、使用者が第１折れ板を折り畳まない時、弾性部材が発生する弾性回復作用は、自動的に第１折れ板を第１内表面に相対して、図７に示すように展開する。同様に、支持部材は、第１内表面及び第２折れ板の間に接続する１つの弾性部材を有しても良く、その構造、接続方式及び用途は、第１内表面及び第１折れ板の間に接続する弾性部材と同一であり、ここでは再度記載しない。
【００３４】
図９〜図１４は、それぞれ本考案のその他の実施例の支持部材が一対の磁石を経て相対展開する説明図である。図９を参照すると、本実施例中の支持部材１３０は、実質上、図６中に示す支持部材１３０と同様であって、両者の異なる箇所は、第１折れ板１３２及び第２折れ板１３４の自動相対展開を駆動する機構及び位置限定部材１３６の配置にある。すなわち、図６中に示す支持部材１３０においては、第１折れ板１３２及び第２折れ板１３４は、弾性部材１３８が提供する弾性回復作用によって自動的に相対展開し、位置限定部材１３６は、第１折れ板１３２及び第２折れ板１３４の間に接続する。  これに対して、図９中に示す支持部材１３０においては、第１折れ板１３２及び第２折れ板１３４は、一対の磁石１４０ａ、１４０の間に働く磁性反発力によって自動的に相対展開し、位置限定部材１３６は、第１内表面１１２及び第２折れ板１３４の間に接続する。
【００３５】
更に詳細に言えば、図３中に示す保護袋１００は、一対の磁石１４０ａ，１４０ｂを有し、図９に示す方位において、磁石１４０ａは、第１折れ板１３２の底面に配置され、そのＳ極は、例えば、第１折れ板１３２の底面に向き、磁石１４０ｂは、第２折れ板１３４の底面に配置され、そのＳ極は、例えば、第２折れ板１３４の底面に配置される。従って、第２折れ板１３４が第１折れ板１３２に相対して折り畳まれる時、磁石１４０ａ、１４０ｂは、Ｎ極が相互に接近して第１折れ板１３２及び第２折れ板１３４を相対展開させる磁性反発力を発生する。即ち、使用者が第２折れ板１３４及び第１折れ板１３２を折り畳んだ状態から開放すると、磁石１４０ａ、１４０ｂが発生する磁性反発力は、自動的に第２折れ板１３４を第１折れ板１３２に相対して図９が示す状態に展開する。
【００３６】
同様に、磁石１４０ａ、１４０ｂが第２折れ板１３４を駆動し、第１折れ板１３２に相対して展開した後の最大角度１８０度を超過することを回避する為、第１折れ板１３２を第２折れ板１３４の支持を介して第１内表面１１２上に斜めに起立させ、この実施例中の支持部材１３０は、第１内表面１１２及び第２折れ板１３４の間に接続する位置限定部材１３６を有する。
【００３７】
注意すべきこととして、磁石１４０ａ、１４０ｂによって、第１折れ板１３２及び第２折れ板１３４を駆動し、自動的に相対展開する機構について、磁石１４０ａ、１４０ｂの配置は、図９に示す実施例のみに限定するものでなく、第１折れ板１３２及び第２折れ板１３４の構造に応じて変化させることもできる。
【００３８】
例えば、第１折れ板１３２及び第２折れ板１３４が、図７に示すように、それぞれ第１内表面１１２に接続する時、磁石１４０ａは、図１０及び図１１に示すように、第１内表面１１２に配置され、そのＳ極は、例えば、第１内表面１１２に向き、磁石１４０ｂは、図１０及び図１１に示す方位において、第２折れ板１３４の底面に配置され、そのＳ極は、例えば、第２折れ板１３４の底面に配置される。従って、第２折れ板１３４を第１内表面１１２に向けて折り畳み、第１折れ板１３２を第２折れ板１３４の上面に向けて折り畳み、支持部材１３０に、例えば、図８に示すような折り畳み状態で磁石１４０ａ、１４０ｂは、Ｎ極が相互に接近して第１蓋板１１０及び第２折れ板１３４を相対展開させる磁性反発力を発生する。即ち、使用者が、第２折れ板１３４及び第１折れ板１３２を折り畳まれた状態から開放すると、磁石１４０ａ、１４０ｂが発生する磁性反発力が自動的に第２折れ板１３４を駆動して第１蓋板１１０に相対する。この時、第２折れ板１３４は、その上方に折り畳んだ第１折れ板１３２を併せて押し動かし、第１蓋板１１０に相対して展開し、支持部材１３０を図１０及び図１１に示すように展開状態を呈させる。
【００３９】
同様に、磁石１４０ａ、１４０ｂが第１折れ板１３２及び第２折れ板１３４を駆動し、第１蓋板１１０に相対して展開させた後、第１折れ板１３２及び第２折れ板１３４の間の挟角が１８０度を超え、第１折れ板１３２を第２折れ板１３４の支持を介して第１内表面１１２上に斜めに起立させることができなくなることを回避する為、本実施例中の支持部材１３０は、図１０に示すように、第１内表面１１２及び第１折れ板１３２の底面の間に接続する位置限定部材１３６を設ける、又は、図１１に示すように、第１折れ板１３２の上面及び第２折れ板１３２の上面の間に接続する位置限定部材１３６を設けても良い。
また、図１０及び図１１に示すように、第１折れ板１３２の底面上に更に１つの位置限定部材１３９を設けても良い。従って、第１折れ板１３２及び第２折れ板１３４の第１蓋板１１０に相対して展開した後、第２折れ板１３４の左側縁は、位置限定部材１３９中に嵌合して、第１折れ板１３２及び第２折れ板１３４の間の挟み角を維持する。
【００４０】
注意すべきこととして、磁石１４０ａ、１４０ｂの配置方式は、図９、図１０及び図１１中に示す実施例に限定するものではない。その他の実施例において、図９に示す実施例について言えば、磁石１４０ａが第１折れ板１３２の底面、上面に配置されるか、第１折れ板１３２内に埋設しても良く、磁石１４０ｂは、第２折れ板１３４の底面、上面に配置されるか、第２折れ板１３４内に埋設される。
この他、図１０及び図１１が示す実施例において、磁石１４０ａは、第１蓋板１１０の第１内表面１１２に配置されるか、第１蓋板１１０内に埋設されてもよく、磁石１４０ａは、第２折れ板１３４の底面、上面に配置されるか、第２折れ板１３４内に埋設されてもよく、また、その他の未開示の実施例において、１つの磁石は、第１蓋板の第１内表面に配置されるか、第１蓋板内に埋設され、もう１つの磁石は、第１折れ板の底面、上面に配置されるか、第１折れ板内に埋設されても良い。
【００４１】
例えば、図１２に示すように、保護袋１００は、２対の磁石１４０ａ，１４０ｂ，１４０ｃ，１４０ｄを設けても良く、図１２が示す方位において、磁石１４０ａ及び１４０ｃは、第１折れ板１３２の底面に配置され、そのＳ極は、例えば、第１折れ板１３２の底面に向く。更に、磁石１４０ｂは、第２折れ板１３４の底面に配置され、そのＳ極は、例えば、第２折れ板１３４の底面に向く。更に、磁石１４０ｄは、第１内表面１１２に配置され、そのＳ極は、例えば、第１内表面１１２に向く。従って、第２折れ板１３４が第１折れ板１３２に相対して折り畳まれた状態で、磁石１４０ａ、１４０ｂは、Ｎ極が相互に接近することにより第１折れ板１３２及び第２折れ板１３４を相対展開させる磁性反発力を発生させる。同様に、第１折れ板１３２が第１蓋板１１０に相対して折り畳まれた状態で、磁石１４０ｃ、１４０ｄは、Ｎ極が相互に接近することにより、第１折れ板１３２及び第１蓋板１１０を相対展開させる磁性反発力を発生する。この時、支持部材１３０は、第１折れ板１３２の底面及び第２折れ板１３４の右側縁の間を接続する位置限定部材１３６を設けることにより、第１折れ板１３２及び第２折れ板１３４が相対展開した後、二者の間の挟み角が１８０度を超過することを回避する。
【００４２】
また、保護袋１００は、図１３に示すように、第１折れ板１３２及び第１蓋板１１０にそれぞれ配置される１対の磁石１４０ａ、１４０ｂを単に有するか、図１４に示すように、第２折れ板１３４及び第１蓋板１１０にそれぞれ配置される一対の磁石１４０ａ、１４０ｂを設けることもできる。同様に、この時の支持部材１３０は、第１折れ板１３２の底面及び第２折れ板１３４の右側縁の間に接続する位置限定部材１３６を設けてもよく、第１折れ板１３２及び第２折れ板１３４が相対展開した後の挟角が１８０度を超過することを回避する。また、支持部材１３０は、第２折れ板１３４右側縁及び第１内表面１１２を接続する１つの弾性部材１３８を設けて、弾性部材１３８が提供する弾性回復力により第１折れ板１３２及び第２折れ板１３４を相対展開する。
【００４３】
同様に、図１０及び図１１に示す実施例及びその方位において、その他の実施例として、位置限定部材の左端は、第１折れ板の左側縁、上面及び右側縁の何れか１つの接続し、位置限定部材の右端は、第２折れ板の左側縁、上面及び右側縁の何れか１つに接続しても良い。また、位置限定部材の一端は、第１内表面に接続し、位置限定部材の他端は、第１折れ板の底面及び右側縁と、第２折れ板の左縁及び底面との何れかに接続してもよい。
【００４４】
上記のように、本考案において、第１蓋板及び第２蓋板を相対展開し、第１折れ板及び第２折れ板を相対展開し、第１折れ板を第２折れ板によって支持して、第１内表面上に斜めに起立させた後、使用者は、携帯式電子デバイスを第１折れ板上に寄り掛からせて操作を行うことができる。従って、使用者は、本考案が提供する保護袋を用いて携帯式電子デバイスを保護することができるだけでなく、随時、保護袋内の支持部材によって携帯式電子デバイスを載置面上に安定して起立するよう支持することができるので、携帯式電子デバイスの支持部材を別途携帯するか、求める必要がない。
また、弾性部材及び／又は磁石の作用により、更に、使用者は折り畳まない状態として支持部材を自動展開し、使用することができる。
【００４５】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００４６】
１００  保護袋
１１０  第１蓋板
１１２  第１内表面
１１４  凹陥
１２０  第２蓋板
１２２  第２内表面
１３０  支持部材
１３２  第１折れ板
１３４  第２折れ板
１３６  位置限定部材
１３８  弾性部材
１３９  位置限定部
１４０ａ、１４０ｂ、１４０ｃ、１４０ｄ  磁石
２００  携帯式電子デバイス
３００  載置面
Ｄ１  第１距離
Ｄ２  第２距離
Ｌ  長さ
【図１】
0003182628.tif 000003
【図２】
0003182628.tif 000004
【図３】
0003182628.tif 000005
【図４】
0003182628.tif 000006
【図５】
0003182628.tif 000007
【図６】
0003182628.tif 000008
【図７】
0003182628.tif 000009
【図８】
0003182628.tif 000010
【図９】
0003182628.tif 000011
【図１０】
0003182628.tif 000012
【図１１】
0003182628.tif 000013
【図１２】
0003182628.tif 000014
【図１３】
0003182628.tif 000015
【図１４】
0003182628.tif 000016